(57)【要約】【課題】電子装置架において、光ファイバケーブルをループ状に複数回巻きつける余長処理方法では、光ファイバケーブルの収容替えが発生した場合の移設作業および不要となった光ファイバケーブルの撤去作業に困難である。【解決手段】電子装置架１に搭載している回路基板ユニット２から出ている光ファイバケーブル８ａを整線部５である水平用整線部品５ａに通し、次に鉛直用整線部品５ｂへ通すことにより光ファイバケーブル８ａが交錯せずに電子装置架１の上方部へ敷設できる。その後、角度を変えることにより余長処理長を調節できる複数個の回転体６ａで構成された余長処理部６により、巻きつけることなく光ファイバケーブル８ａの余長を調節する。【選択図】図１
2015001594.tif 000002
【特許請求の範囲】
【請求項１】
第１の接続部と第２の接続部とを接続する複数の光ファイバと、これらの光ファイバを把持する整線部と、前記光ファイバの余長を調整する余長処理部と、を含む電子装置架において、
前記整線部は、鉛直方向に並んだ複数の水平整線部品と、奥行き方向に並んだ複数の鉛直整線部品と、からなり、
前記複数の水平整線部品のうち、下部に配置された第１の水平整線部品からの光ファイバは、前記複数の鉛直整線部品のうち、奥に配置された第１の鉛直整線部品に整線されていることを特徴とする電子装置架。
【請求項２】
請求項１に記載された電子装置架であって、
前記余長処理部は、その角度を調整することによって、余長を調整する複数の回転体で構成されていることを特徴とする電子装置架。
【請求項３】
請求項２に記載された電子装置架であって、
前記回転体は、不等辺三角形の頂点に円弧を設けた構造であることを特徴とする電子装置架。
【請求項４】
請求項１に記載された電子装置架であって、
前記複数の鉛直整線部品は、光ファイバの方向を変換する曲線部分を持った角パイプ形状であることを特徴とする電子装置架。
【発明の詳細な説明】
【技術分野】
【０００１】
本発明は電子装置架に係り、特に光ファイバケーブルを敷設する電子装置架に関する。
【背景技術】
【０００２】
近年、ネットワーク装置等の電子装置架内において、光ファイバケーブルの収容本数が増加している。光ファイバケーブルが増加すると、光ファイバケーブルの敷設順序、敷設経路および光ファイバケーブルの余長処理方法を事前に検討しておく必要がある。これを怠ると、電子装置架内で、多数の光ファイバケーブルが交錯したり、もつれたりしてしまう。この結果、光ファイバケーブルの敷設作業は非常に手間がかかるものとなってしまう。
【０００３】
本技術分野の背景技術として、特許文献１がある。特許文献１の技術では、複数の光ファイバケーブルをそれぞれ個別に余長処理し、多数の光ファイバケーブルを収容できる余長処理部を収容する装置架の提供を行っている。要約および第１図によれば、特許文献１の技術は、装置架の側面に複数個のスプールを配し、光ファイバケーブルをスプールに一本ずつ巻き取ることにより余長処理を行っている。
【先行技術文献】
【特許文献】
【０００４】
【特許文献１】特開平１１−２３８５９号公報
【発明の概要】
【発明が解決しようとする課題】
【０００５】
しかし、特許文献１において、スプールに光ファイバケーブルをループ状に複数回巻きつける余長処理構造であると、光ファイバケーブルの収容本数が増加するとスプールが多数必要となり、限られた電子装置架内での光ファイバケーブルの収容に限界を生じることになる。
【０００６】
また、光ファイバケーブルをループ状に複数回巻きつけると、光ファイバケーブルの収容替えが発生した場合の移設作業および不要となった光ファイバケーブルの撤去作業が非常に困難となる。詳細には、複数本の光ファイバケーブルが１つのループに複数回巻きつけられていると、光ファイバケーブルを１本取り外すためには、巻きつけている全ての光ファイバケーブルを外さなければ取り外すことができない。そのため、電子装置架内に不要となった光ファイバケーブルを放置する場合もしばしば有り得、電子装置架内が煩雑となり保守性を著しく阻害する。
【０００７】
本発明は、上記事情を鑑みてなされたもので、その目的は、光ファイバケーブルの敷設と撤去が容易な電子装置架を提供することにある。
【課題を解決するための手段】
【０００８】
上述した課題は、第１の接続部と第２の接続部とを接続する複数の光ファイバと、これらの光ファイバを把持する整線部と、光ファイバの余長を調整する余長処理部と、を含む電子装置架において、整線部は、鉛直方向に並んだ複数の水平整線部品と、奥行き方向に並んだ複数の鉛直整線部品と、からなり、複数の水平整線部品のうち、下部に配置された第１の水平整線部品からの光ファイバは、複数の鉛直整線部品のうち、奥に配置された第１の鉛直整線部品に整線されている電子装置架により、達成できる。
【発明の効果】
【０００９】
本発明によれば、光ファイバケーブルの敷設作業および光ファイバケーブルの撤去作業が容易な電子装置架を提供できる。
【図面の簡単な説明】
【００１０】
【図１】電子装置架の斜視図である。
【図２】回路基板ユニット付近の拡大斜視図である。
【図３】パッチパネル付近の拡大斜視図である。
【図４】整線部の斜視図である。
【図５】整線部の平面図である。
【図６】余長処理部の斜視図（角度変更前）である。
【図７】余長処理部の斜視図（角度変更後）である。
【図８】回転体の正面図である。
【図９】余長処理部の正面図である。
【図１０】他の整線部の斜視図である。
【発明を実施するための形態】
【実施例１】
【００１１】
以下、本発明の実施形態について、図面を参照しながら詳細に説明する。
図１を参照して、電子装置架を説明する。図１において、電子装置架１は、電子装置ユニット４と、回路基板ユニット２と、パッチパネル３と、整線部５と、余長処理部６と、架柱７と、固定金物１７と、で構成されている。なお、奥行き方向をｙ方向、高さ方向をｚ方向とし、ｘ方向は右手系で定義する。この方向は、全図で共通である。
【００１２】
電子装置架１内の光ファイバケーブル８ａの敷設ルートを説明をする。電子装置架１内の光ファイバケーブル８ａの敷設作業は、電子装置ユニット４の最下段にある回路基板ユニット２ａから開始する。最下段の回路基板ユニット２ａの敷設作業が完了したあと、その上部にある回路基板ユニット２ｂの敷設作業を行う。以下、順に上部の回路基板ユニット２ｃ、２ｄの敷設作業をおこなう。
【００１３】
回路基板ユニット２ａの最左端のコネクタから出る光ファイバケーブル８ａは、次の手順で敷設する。（１）架柱７に取り付けられた固定金物１７に取り付けられている水平整線部品５ａを通す。（２）電子装置架１の側面に取り付けられる鉛直整線部品５ｂを通す。（３）電子装置架１の上部へ通し架柱７に取り付けられていた余長処理部６のうち、一番奥の回転体６ａを通す。最後に、（４）パッチパネル３の最左端のコネクタへ接続する。
【００１４】
なお、水平整線部品５ａ、鉛直整線部品５ｂには、一つの回路基板ユニット２ａから出る光ファイバケーブル総数（６４本）の光ファイバケーブル群８ｂが通る。
なお、余長処理部６の回転体６ａには、回路基板ユニット２ａから出る光ファイバケーブル総数の１／４分（１６本）の光ファイバケーブル群８ｂ１〜８ｂ４が通る。また、回路基板ユニット２ａに接続されている全ての光ファイバケーブル８ａの束を光ファイバケーブル群８ｂと呼ぶ。回路基板ユニット２ｂ〜２ｄについても同様である。さらに、余長処理部６の回転体６ａを通る光ファイバケーブル８ａの束を光ファイバケーブル群８ｂ１と呼ぶ。光ファイバケーブル群８ｂ２〜８ｂ４についても同様である。
【００１５】
図２を参照して、回路基板ユニット２ａ付近を詳細に説明する。図２において、回路基板ユニット２ａから出た光ファイバケーブル８ａは、水平整線部品５ａ１を通過し、さらに鉛直整線部品５ｂ１を通過する。同様に、他の回路基板ユニット２から出た光ファイバケーブル（図示せず）の経路は、（１）回路基板ユニット２ｂ（２ｃ、２ｄ）、（２）水平整線部品５ａ２（５ａ３、５ａ４）、（３）鉛直整線部品５ｂ２（５ｂ３、５ｂ４）の順である。
【００１６】
このように、回路基板ユニット２ごとに特定のルートを通す整線部５を使用しているため、敷設された光ファイバケーブル８ａの見分けが容易である。また、光ファイバケーブル８ａも交錯することがないため、光ファイバケーブル８ａの収容替えおよび不要な光ファイバケーブルの撤去作業が容易である。
【００１７】
図３を参照して、パッチパネル３付近の詳細を説明する。図３において、鉛直用整線部品５ｂ１を通った光ファイバケーブル群８ｂのうち、余長処理部６の奥側にある回転体６ａ１の溝１１を通った光ファイバケーブル８ａは、パッチパネル３のＨ部のコネクタに接続される。
【００１８】
同様に、回転体６ａ２の溝１１を通った光ファイバケーブル８ａは、パッチパネル３のＩ部のコネクタに接続される。回転体６ａ３の溝１１を通った光ファイバケーブル群８ａは、パッチパネル３のＪ部のコネクタに接続される。回転体６ａ４の溝１１を通った光ファイバケーブル群８ａはパッチパネル３のＫ部のコネクタに接続される。
【００１９】
上述した順序で、光ファイバケーブル８ａを敷設すると、パッチパネル３のＨ部、Ｉ部、Ｊ部、Ｋ部の同一区画には、ほぼ同一長さの光ファイバケーブル８ａを使用して、ループ状に巻かなくても良い適切な余長処理が実現できる。
【００２０】
図４を参照して、整線部５の詳細を説明する。図４において、整線部５は、水平用整線部品５ａと鉛直用整線部品５ｂから構成されている。水平用整線部品５ａは、４つの類似形状の角穴を有した角パイプ形状が一体となっている。水平用整線部品５ａは、下から順に縦方向に５ａ１、５ａ２、５ａ３、５ａ４と配置されている。
【００２１】
鉛直用整線部品５ｂも同様に、４つの類似形状の角穴を有した曲がりを持つ角パイプ形状が一体となっている。鉛直用整線部品５ｂは、電子装置架１の奥側から順に５ｂ１、５ｂ２、５ｂ３、５ｂ４と配置されている。
【００２２】
図５を参照して、図４の矢印Ｆ方向から見た平面図を説明する。図５において、光ファイバケーブル群８ｂが水平用整線部品５ａ１から鉛直用整線部品５ｂ１へスムーズに敷設できるように水平用整線部品５ａ１は、鉛直用整線部品５ｂ１に向う角パイプ形状となっている。水平用整線部品５ａ２−鉛直用整線部品５ｂ２間、水平用整線部品５ａ３−鉛直用整線部品５ｂ３間、水平用整線部品５ａ４−鉛直用整線部品５ｂ４間も同様である。光ファイバケーブル群８ｂは、最下段の水平用整線部品５ａ１のＡ部から入り鉛直用整線部品５ｂ１のＡ’部に向かって敷設する（図４、図５の実線矢印のルート）。
【００２３】
水平用整線部品５ａ１には溝５ｃ（図４に図示）が設けてあり、光ファイバケーブル８ａの追加、撤去が容易に行える。また、鉛直用整線部品５ｂにも溝５ｄ（図４に図示）が設けてある。水平用整線部品５ａ１を通る光ファイバケーブル群８ｂの敷設が完了したら、順に、水平用整線部品５ａ２、５ａ３を通る光ファイバケーブル群８ｂの敷設を同様に行う。最後に、光ファイバケーブル群８ｂは、最上段の水平用整線部品５ａ４のＢ部から入り鉛直用整線部品５ｂ４のＢ’部に向かって敷設する（図４、図５の点線矢印のルート）。
【００２４】
上記の順序で光ファイバケーブル群８ｂを敷設することにより光ファイバケーブル群８ｂが交錯することがなく、作業をすることができる。
【００２５】
また、光ファイバケーブル８ａの収容替え等により光ファイバケーブル８ａを抜き出す際も、対象となる光ファイバケーブル８ａを選びやすく、溝５ｃ、５ｄより容易に抜き出すことができスムーズに作業することができる。なお、鉛直用整線部品５ｂの曲げ部は、光ファイバケーブル８ａの最小曲げ半径以上を確保した形状である。
【００２６】
図６および図７を参照して、余長処理部を説明する。図６において、余長処理部６は、固定金物１７にねじ１０ａで固定されている。一方、固定金物１７は、架柱７にねじ１０で固定されている。
【００２７】
余長処理部６は、４つの偏心した形状の回転体６ａで構成されている。余長処理部６は、ねじ１０ａで固定金物１７に取り付けられている。回転体６ａには、光ファイバケーブル８ａが通る溝１１が形成されている。回転体６ａには、溝１１から光ファイバケーブル８ａが脱落しないように突起１６を設けている。回転体６ａは、三辺の長さが異なる三角形の頂点に円弧を設けた形状をしている。なお、円弧の曲率半径は、光ファイバケーブル８ａの最小曲げ半径を満足している。なお、図６は回転体６ａの角度を調整する前の状態である。
【００２８】
図７を参照して、余長処理を行うために回転体の角度を調節した状態を説明する。図７において、回転体６ａ１、回転体６ａ２、回転体６ａ３、回転体６ａ４は、互いに９０度ずらして、配置されている。
【００２９】
図８を参照して、おおむね三角形の回転体６ａ回転中心と角の関係を説明する。図８において、回転体６ａは、回転中心９から円弧までの距離Ｃ、Ｄ、Ｅが、以下となるように構成している。  
Ｃ＞Ｄ＞Ｅ
図９を参照して、回転体の配置を説明する。なお、図９では、説明を容易にするために図７に示した溝１１を省略する。なお、実際には、溝１１に光ファイバケーブル群８ｂが通っていることは、図７で説明した通りである。
【００３０】
図９において、４つの回転体６ａは、ねじ１０ａで固定されている。しかし、ねじ１０ａを緩めることにより、回転体６ａは、回転することができる。すなわち、回転体６ａの角度を変えることができる。また、角度を変えた後、ねじ１０ａを締めることにより４つの回転体６ａは、固定できる。なお、回転体６ａを固定する構造は、ねじではなく、ラッチを使っても良い。
【００３１】
回転体６ａの機能を以下説明する。図９において、回転体６ａ１、６ａ２、６ａ３、６ａ４を各々、異なる角度にすることにより、回転体６ａの外周を沿う光ファイバケーブル群８ｂ１、８ｂ２、８ｂ３、８ｂ４の余長処理長さを４段階に調整することができる。
光ファイバケーブル群８ｂの余長処理長さが長い順は、以下である。  
８ｂ１＞８ｂ２＞８ｂ３＞８ｂ４
なお、本実施例では電子装置ユニット４が電子装置架１の下部に配置したが、電子装置架１の上部にある場合は、整線部品５ｂを下向きにすることで同様の効果が得られる。
【実施例２】
【００３２】
図１０を参照して、実施例１の整線部５とは異なる他の整線部１２を説明する。図１０において、整線部品１２は、整線部５と形状は相違しているが、同様の効果が得られる。なお、図１０中の実線矢印と点線矢印は、光ファイバケーブル群８ｂのルートを示している。
【００３３】
整線部１２は、水平用整線部品１２ａと鉛直用整線部品１２ｂから構成されている。水平用整線部品１２ａは、４つの同一形状の角穴を有した角パイプ形状が一体となっており、下から縦方向に１３ａ、１３ｂ、１３ｃ、１３ｄの順に配置している。鉛直用整線部品１２ｂは、４つの同一形状の角穴を有し捩れた角パイプ形状が一体となっており、電子装置架１の奥側から１４ａ、１４ｂ、１４ｃ、１４ｄの順に配置している。
【００３４】
なお、整線部１２は、複数の水平用整線部品１２ａのうちでｚ方向で下の水平用整線部品１２ａのファイバを、複数の鉛直用整線部品１２ｂのうちでｙ方向で奥の複数の鉛直用整線部品１２ｂに導く。
【符号の説明】
【００３５】
１…電子装置架、２…回路基板ユニット、２…回路基板ユニット、３…パッチパネル、４…電子装置ユニット、５…整線部品、５ａ…水平用整線部品、５ｂ…鉛直用整線部品、５ｃ…溝、５ｄ…溝、６…余長処理部品、６ａ…回転体、７…架柱、８ａ…光ファイバケーブル、８ｂ…光ファイバケーブル群、９…回転中心、１０…ねじ、１１…溝、１２…整線部品、１２ａ…水平用整線部品、１２ｂ…鉛直用整線部品、１６…突起、１７…固定金物。
【図１】
2015001594.tif 000003
【図２】
2015001594.tif 000004
【図３】
2015001594.tif 000005
【図４】
2015001594.tif 000006
【図５】
2015001594.tif 000007
【図６】
2015001594.tif 000008
【図７】
2015001594.tif 000009
【図８】
2015001594.tif 000010
【図９】
2015001594.tif 000011
【図１０】
2015001594.tif 000012